(57)【要約】      （修正有）【課題】簡易な構成で、豪雪地帯における家屋の屋根に積もった雪の排除を行う雪掻きワイパーを提供する。【解決手段】１対（２個）の雪掻き部４ａ，４ｂが所要の間隔を取って配置された２本のガイドレール２ａ，２ｂ上を巻き取り駆動用プーリー６によって左右交互に巻き上げられるワイヤー３によって移動し、下降する側の部位に装着された１対の雪掻き用ブレード４ｂが雪の抵抗によって両側に開脚し、降り積もった雪を捉え掻き降ろすとともに、上昇する側に装着された１対の雪掻き用ブレード４ａが雪の抵抗によって閉脚し、深雪の中に潜りながら少ない抵抗で上昇する。１対（２個）の雪掻き部４ａ，４ｂが交互に上下する動作を繰り返し深く降り積もった屋根等の雪を排除する。雪掻き部１組を長い竿の先端に装着して地上から人力で除雪する道具と出来る。【選択図】図１
2014051812.tif 000002
【特許請求の範囲】
【請求項１】
屋根の傾斜に沿って平行に設置された２本のガイドレールの上を１本のワイヤーまたはロープに固定されて上下に走行できる雪掻き用の部位２組が、牽引されるワイヤーまたはロープによってガイドレール上を上下交互に走行させることを特徴としている。
【請求項２】
雪掻き用のワイパーを雪質に合わせて交換出来る構造としており、積雪が深く湿った雪質の場合には雪掻き面の小さいワイパーを装着でき、乾燥した粉雪が積雪の場合には雪掻き面の大きいワイパーへと容易に交換できることを特徴としている。
【請求項３】
雪掻き部を構成する１対のワイパーが水平開閉式となっており、簡易な構造で強度も高く、雪掻き作用をしない上昇時は積雪の抵抗を受けると１対のワイパーが自動的に閉脚して上昇時の抵抗を減少させ積雪中を潜って走行することができるとともに下降時は積雪の抵抗を受けて銛のように自動的に大きく開脚して雪を捉え、雪掻きすることを特徴としている。
【請求項４】
屋根が低い場合などには雪掻き用の部位１組を長い竿等の先端に装着して地上から人力で屋根上の積雪部に突き刺し、竿を引き降ろす事によっても雪掻きすることを特徴としている。
【発明の詳細な説明】
【技術分野】
【０００１】
本発明は、豪雪地域における屋根等の雪掻きワイパーに関する。
【背景技術】
【０００２】
例えば降雪地において民家等の屋根に大量の雪が降り積もりその除雪作業をする際、危険を冒して屋根に上って人力で除雪する必要がある。
このような危険を回避して、安全に屋根の除雪をするには雪掻き器具を使用して実現することが考えられる。
具体的には、ワイヤー巻き取り機に開閉する板を取り付けた装置を設定し、屋根上に取り付けられたガイドレール上を上下させて、下降する際、屋根に積もった雪を掻き降ろす装置が提案されている他、ベルトコンベアによる方法が提案されている（特許文献参照）
【先行技術文献】
【特許文献】
【０００３】
【特許文献１】特許公開２００７−２８５１１１
【特許文献２】特許公開２００７−２３１７１４
【発明の概要】
【発明が解決しようとする課題】
【０００４】
しかしながら、上記特許文献に開示された技術のような板を上下に開閉する方法は板が上昇する際、積雪の抵抗が大きく巻き上げワイヤーに大きな負荷が掛かり、効率が低下する上、雪質が変化した場合への対応が容易ではない。
また、当該装置やベルトコンベアによる方法は構造が複雑で部品点数も多い。
【０００５】
本発明はこのような問題を雪掻きワイパーを用いて解決するためになされたもので、その目的とするところは、簡易な構成としつつ、雪質の違いにも簡便に対処できる雪掻き装置を提供することにある。
【課題を解決するための手段】
【０００６】
上記した目的を達成するために、請求項１では屋根の傾斜に沿って平行に設置された２本のガイドレール上を１本のワイヤーまたはロープに固定されて上下に走行できる雪掻き用の２組の部位が、牽引されるワイヤーまたはロープによってガイドレール上を上下交互に走行させることを特徴としている。
【０００７】
請求項２では請求項１に示したワイパーを雪質に合わせて交換出来る構造としており、湿った積雪が深い場合には雪掻き面が小さいワイパーを装着でき、乾燥した粉雪が積雪の場合には雪掻き面の大きいワイパーへと容易に交換できることを特徴としている。
【０００８】
請求項３では雪掻き部に設置された１対のワイパーが水平開閉式となっており、簡易な構造で強度も高く、雪掻き作用をしない上昇時は積雪の抵抗を受けると自動的に閉脚して積雪中を潜行しながら前進する際、抵抗を減少させることができるとともに下降時は積雪の抵抗を受けて銛のように自動的に大きく開脚して雪を捉え、雪掻きすることを特徴としている。
【０００９】
請求項４では屋根が低い場合などへの対応として雪掻き用の部位１組を長い竿等の先端に装着して地上から人力で屋根上の積雪部に突き刺し、竿を引き降ろす事によっても雪掻きすることを特徴としている。
【発明の効果】
【００１０】
上記手段を用いる本発明によれば、１対（２個）の雪掻き部が所要の間隔を取って配置された２本のガイドレール上を巻き取りワイヤーまたはロープ（以下ワイヤーと呼称する）によって上下交互に移動し、屋根に積雪が有る場合、下降する側の部位に装着された１対の雪掻き用ワイパーが雪の抵抗によって両側に開脚するため降り積もった雪を捉え掻き降ろすとともに、上昇する側の部位に装着された１対の雪掻き用ワイパーが雪の抵抗によって閉脚し、深雪の中でも雪の中に潜りながら少ない抵抗で上昇する。
【００１１】
つまり、２対の雪掻き部が交互に上下することにより、下降する雪掻き部のワイパーによって屋根に降り積もった雪がワイパーの開脚した幅分を少しずつ掻き降ろす動作を繰り返す事によって深く降り積もった屋根等の雪を排除することができる。
【００１２】
また、本装置の雪掻き部は簡素な構造のため、１対のワイパーは、ワイパー固定軸に容易に脱着ができるため、雪質に合わせて巻き取り装置への負荷を平準化した運用が可能である
【００１３】
さらに、屋根が低い場合、雪掻き部は1対を長い竿の先端に装着する事によって、地上から人力で雪掻きをする事も可能である
【図面の簡単な説明】
【００１４】
【図１】本発明の実施形態に係る屋根の雪掻きワイパーの全体構成図である。
【図２】図１の雪掻きワイパーを作動させる雪掻き用の部位の上面図（図ａ）、側面図（図ｂ）である。
【図３】図２中の（図ａ）雪掻き用の部位半面、（図ｂ）交換用ワイパー小（図ｃ）交換用ワイパー大の一例である。
【図４】屋根が低い場合、雪掻き部1組を長い竿の先端に取り付けて地上から人力で除雪する場合の概念図である
【発明を実施するための形態】
【００１５】
以下、本発明の実施の形態を図面に基づき説明する。
図１を参照すると、本発明の全体構成が屋根等の設置面１に配置された図が示されている。
図１に示すように、雪掻きワイパーは雪掻き用の部位４ａ、４ｂ２個が牽引ワイヤー３に固定され、ガイドレール２ａ、２ｂ上を上下に走行する。このワイヤー３は５ａ，５ｂ，５ｃ，５ｄのプーリーを介して雪掻き用の部位２個をガイドレール２ａ，２ｂに導くとともに、駆動用プーリー６へも導いている。
雪掻き用部位４ａ，４ｂがこの駆動用プーリーによってガイドレール２ａ，２ｂ上を走行するが、いずれかの雪掻き用部位がガイドレールの下方に到達したとき、走行限界部に設置されたリミットスイッチ７ａ，７ｂが働き、駆動プーリーの回転方向を反転させて左右のガイドレール上の雪掻き用の部位がそれぞれ反対方向に走行を始める。
以下、当該雪下ろしワイパーの構成部分の機能について詳しく説明する。
【００１６】
図２には雪掻き用の部位の上面図（図ａ）、側面図（図ｂ）が示されている。
図２における雪掻き用の部位のメインシャフト８は雪掻きの主要な機能を行う各パーツを搭載しており、両端付近には牽引用ワイヤー連結穴１０ａ，１０ｂが設けられている。
また、雪掻き用の部位のメインシャフト８には前後両端付近の下方に設けられた雪掻き用部位安定化シュー１７ａ，１７ｂが設けられており、ガイドレール２ａ，２ｂの溝に沿って安定的に走行させる。
このメインシャフトの前端付近（図面上は左寄り）に設けられたワイパー開閉用軸ピン１１に拘束されたワイパー固定用バー１２ａ，１２ｂが両側（図面上は上下）にのみ開脚、閉脚できる。ワイパー固定用バー１２ａ，１２ｂは各々の中間付近とワイパー固定用バー開閉スライダー１４とをワイパー固定用バー開閉支持棒１３ａ，１３ｂで連結されている。
雪掻き用の部位のメインシャフト８の後端（図面上は右寄り）には押し上げバネストッパー１６が固定され、その前方直近にはスライダー押し上げバネ１５がワイパー固定用バー開閉スライダー１４との間に設定されている。スライダー押し上げバネ１５はワイパー固定用バー１２ａ，１２ｂに力が掛からないときにはワイパー固定用バー開閉用スライダー１４はバネに反発力が無くなる程度まで前方に押し上げられ、少し開脚する。
しかし、ワイパー固定用バー１２ａ，１２ｂに後ろ方向の力が掛かると、ワイパー固定用バー開閉用スライダー１４は後方に移動し、ワイパー固定用バー１２ａ，１２ｂが更に閉脚する事になる。
ワイパー固定用バー１２ａ，１２ｂに前方向きの力がかかるとワイパー固定用バー開閉支持棒１３ａ，１３ｂを通してワイパー固定用バー開閉スライダー１４は前方に移動するが、ワイパー開閉用軸ピン１１後方に設定されたワイパー開脚制限用ストッパー９によってさらなる前方への移動は停止させられ、これがワイパー固定用バー開閉支持棒１３ａ，１３ｂの最大開脚角度となって固定される。
【００１７】
図３には雪掻き用の部位（半分）の上面図（図ａ）、ワイパー（図ｂ）ワイパー（図ｃ）が示されている。
ワイパー固定用バー１２にはワイパー（図ｂ）ワイパー（図ｃ）が取り付けることが可能な構造となっており、ワイパー固定用バーグリップ１９がワイパー固定用バーを抱え込むように挿入することができる。また、ワイパー（図ｂ）ワイパー（図ｃ）はワイパー固定用バーグリップ１９とワイパー固定ネジ穴２０を同じ仕様とすることによって交換が可能とする。
【００１８】
上記構成と機能を個々に記述してきたが、積雪が存在すると仮定した屋根の上での動作の一例を以下に提示する。
まず、図１に示すように、牽引ワイヤー３が右回転方向に回る場合、雪掻き用の部位４ｂが積雪の中を屋根等の設置面１の下方に向かって走行する。すると、ワイパー固定用バー１２ａ，１２ｂとそれに取り付けられたワイパー１８が雪の抗力を受けて開脚を始め、開脚角度を広げながら更に下方に走行を続ける。
しかし、雪掻き用の部位４ｂがガイドレール２ｂ上の下降を続けると、ワイパー開脚制限用ストッパー９にそれ以上の開脚を阻まれ、ワイパー１８に補足された雪を引きずり降ろすことになる。
一方雪掻き用部位４ａは積雪の中を屋根等の設置面１の上方に向かって走行する。すると、ワイパー固定用バー１２ａ，１２ｂとそれに取り付けられたワイパー１８が雪の抗力を受けて閉脚を始め、開脚角度を縮小ながら更に上方に走行を続ける。この際、ワイパーが閉脚すると上昇時の雪の抗力は小さくなる。
雪掻き用の部位４ｂが積雪の中を更に下降してガイドレール２ｂの下端付近に設置されたリミットスイッチ７ｂに接触すると駆動用プーリー６の回転方向が逆転し、牽引ワイヤー３が左回転を始める。
このようにして、雪掻き用の部位４ｂ，４ａが機能を交代して交互に屋根の除雪を行うことになる。
【００１９】
以上は2組の雪掻き部を使用する除雪方法であるが、屋根が低い場合等は1組の雪掻き部を長い竿の先端に装着し、地上から人力で屋根の端の積雪部に突き刺し、斜面に沿って挿入する事でも除雪が出来る。この際の雪掻き部の動作は前述しているので省略する
【符号の説明】
【００２０】
１，  屋根等の設置面
２，  ガイドレール
３，  牽引ワイヤー
４ａ，４ｂ，  雪掻き用の部位
５ａ，５ｂ，５ｃ，５ｄ，  プーリー
６，  駆動用プーリー
７ａ，７ｂ，  リミットスイッチ
８，  雪掻き用の部位メインシャフト
９，  ワイパー開脚制限用ストッパー
１０ａ，１０ｂ，  牽引用ワイヤー連結穴
１１，  ワイパー開閉用軸ピン
１２ａ，１２ｂ，  ワイパー固定用バー
１３ａ，１３ｂ，  ワイパー固定用バー開閉支持棒
１４，  ワイパー固定用バー開閉スライダー
１５，  スライダー押し上げバネ
１６，  押し上げバネストッパー
１７ａ，１７ｂ，  雪掻き用の部位安定化シュー
１８，
ワイパー
１９，  ワイパー固定用バーグリップ
２０，  ワイパー固定用ネジ穴
２１，  雪掻き用の部位
２２，  雪掻き用の部位取付竿
２３，  積雪した家屋
２４，  地上から除雪作業をする人
【図１】
2014051812.tif 000003
【図２】
2014051812.tif 000004
【図３】
2014051812.tif 000005
【図４】
2014051812.tif 000006